【手続補正書】
【提出日】平成20年2月26日(2008.2.26)
【手続補正１】
【補正対象書類名】明細書
【補正対象項目名】特許請求の範囲
【補正方法】変更
【補正の内容】
【特許請求の範囲】
【請求項１】  指向性マイクロフォンをエミュレートする装置であって、以下を含む、
互いに同じである無指向性の第１マイクロフォンと無指向性の第２マイクロフォン、これらは対象とする音の波長範囲における音の最短波長と比較して短い距離だけ互いに離間して配置されている、そして
前記各マイクロフォンの出力を表す入力信号ｒ（ｔ）及びｆ（ｔ）から、信号Ｒ（ｔ）及びＦ（ｔ）を作り出すように構成されたシグナルプロセッサ、前記信号Ｆ（ｔ）は、前記入力信号ｆ（ｔ）と、重み係数によって重み付けされ及び第１遅延時間Ｔ１で遅延された前記信号Ｒ（ｔ）との間の差に依存し、そして前記信号Ｒ（ｔ）は、前記入力信号ｒ（ｔ）と、重み係数によって重み付けされ及び第２遅延時間Ｔ２で遅延された前記信号Ｆ（ｔ）との間の差に依存し、ここで、前記信号Ｆ（ｔ）及び前記Ｒ（ｔ）は、前記両マイクロフォンに対する前記音波の方向と共に変化する応答パターンを有する信号である。
【請求項２】  請求項１記載の装置であって、更に、前記遅延時間の両方を変化させるための手段を有する。
【請求項３】  請求項１又は２記載の装置であって、前記遅延時間Ｔ１及びＴ２は互いに等しい。
【請求項４】  請求項１又は２記載の装置であって、前記遅延時間Ｔ１及びＴ２は互いに等しくない。
【請求項５】  請求項１〜４の何れか一項に記載の装置であって、Ｔ１＝ｋ＊ｄ／ｃであり、ここで、ｃは音速、そして０＜ｋ＜１である。
【請求項６】  請求項１〜５の何れか一項に記載の装置であって、
Ｆ（ｔ）＝ｆ（ｔ）−（１−ｅ）Ｒ（ｔ−Ｔ１）、そして、
Ｒ（ｔ）＝ｒ（ｔ）−（１−ｅ）Ｆ（ｔ−Ｔ２）であり、ここで（１−ｅ）は前記重み係数であり、０＜ｅ＜１である。
【請求項７】  請求項１〜６の何れか一項に記載の装置であって、更に、前記信号Ｒ（ｔ）および／又は前記信号Ｆ（ｔ）を作り出すためのアナログシグナルプロセッサを有する。
【請求項８】  請求項７記載の装置であって、前記アナログシグナルプロセッサは、前記第１マイクロフォンに接続された第１入力を備える第１減算器と、前記第２マイクロフォンに接続された第１入力を備える第２減算器と、前記第１減算器及び前記第２減算器の出力をそれぞれ、所定の遅延によって遅延させるための第１遅延器及び第２遅延器とを有し、前記第１遅延器の出力は前記第２減算器の第２入力に接続され、前記第２遅延器の出力は前記第１減算器の第２入力に接続されている。
【請求項９】  請求項１〜６の何れか一項に記載の装置であって、更に、前記信号Ｒ（ｔ）および前記信号Ｆ（ｔ）を作り出すためのデジタルシグナルプロセッサを有する。
【請求項１０】  請求項１〜９の何れか一項に記載の装置であって、前記第１マイクロフォン及び前記第２マイクロフォンの間隔は、１ｃｍ以下である。
【請求項１１】  請求項１〜１０の何れか一項に記載の装置であって、更に、前記信号Ｆ（ｔ）及び前記信号Ｒ（ｔ）を組み合わせて組み合わせ信号ＦＦ（ｔ）を作り出すように作動可能なシグナルコンバイナを有する。
【請求項１２】  請求項１１記載の装置であって、更に、前記信号Ｆ（ｔ）及び前記信号Ｒ（ｔ）の前記組み合わせを変化させるための手段を有する。
【請求項１３】  請求項１１又は１２記載の装置であって、前記組み合わせ信号は、ＦＦ（ｔ）＝（１−ａ）Ｆ（ｔ）＋ａＲ（ｔ）であり、ここで、０＜ａ＜１である。
【請求項１４】  請求項１１〜１３の何れか一項に記載の装置を含む補聴器。
【請求項１５】  請求項１〜１０の何れか一項に記載の装置であって、更に、第３マイクロフォンと、前記第２マイクロフォン及び前記第３マイクロフォンの出力信号を組み合わせて前記入力信号ｒ（ｔ）を作り出すシグナルコンバイナとを有する。
【請求項１６】  請求項１５記載の装置であって、前記信号ｒ（ｔ）＝ｂｒ２（ｔ）＋（１−ｂ）ｒ３（ｔ）であり、ここで、ｒ２（ｔ）及びｒ３（ｔ）は、前記第２マイクロフォン及び前記第３マイクロフォンから来る信号であり、０＜ｂ＜１である。
【請求項１７】  請求項１〜９の何れか一項に記載の装置であって、更に、第３マイクロフォンと、第１シグナルプロセッサ及び第２シグナルプロセッサ及び第３シグナルプロセッサとしての前記シグナルプロセッサとを有し、これらシグナルプロセッサは、それぞれ、各マイクロフォン信号からの第１入力信号及び第２入力信号から、第１出力信号及び第２出力信号を作り出すように作動可能であり、前記第１出力信号は、前記入力信号ｆ（ｔ）と、重み係数によって重み付けされ及び第１遅延時間Ｔ１で遅延された前記信号Ｒ（ｔ）との間の差に依存し、そして前記第２出力信号は、前記入力信号ｒ（ｔ）と、重み係数によって重み付けされ及び第２遅延時間Ｔ２で遅延された前記信号Ｆ（ｔ）との間の差に依存し、ここで、前記第１マイクロフォン及び前記第２マイクロフォンの信号は前記第１シグナルプロセッサに接続され、前記第２マイクロフォン及び前記第３マイクロフォンの信号は前記第２シグナルプロセッサに接続され、前記第１マイクロフォン及び前記第３マイクロフォンの信号は前記第３シグナルプロセッサに接続されている。
【請求項１８】  請求項１５〜１７の何れか一項に記載の装置であって、三つのマイクロフォンが三角形の頂点に配置されている。
【請求項１９】  請求項１８記載の装置であって、前記三角形は等辺三角形である。
【請求項２０】  請求項１７記載の装置であって、更に、少なくとももう一つのマイクロフォンと、少なくとももう一つのシグナルプロセッサとを有し、前記マイクロフォンは、多角形又は多角体のコーナーに配設されている。
【請求項２１】  請求項１〜１０の何れか一項に記載の装置であって、前記第１マイクロフォン及び前記第２マイクロフォンと、第３マイクロフォンとを有し、これら三つのマイクロフォンは、直線上に配設され、前記装置は、更に、第１シグナルプロセッサ及び第２シグナルプロセッサ及び第３シグナルプロセッサとしての前記シグナルプロセッサとを有し、これらシグナルプロセッサは、それぞれ、各マイクロフォンの出力を表す第１入力信号及び第２入力信号から、第１出力信号及び第２出力信号を作り出すように作動可能であり、前記第１出力信号（Ｆ（ｔ））は、前記第１入力信号（ｆ（ｔ））と、重み係数によって重み付けされ及び第１遅延時間Ｔ１で遅延された前記第２出力信号（Ｒ（ｔ））との間の差に依存し、そして前記第２出力信号（Ｒ（ｔ））は、前記第２入力信号（ｒ（ｔ））と、重み係数によって重み付けされ及び第２遅延時間Ｔ２で遅延された前記第１出力信号（Ｆ（ｔ））との間の差に依存し、ここで、前記第１マイクロフォン及び前記第２マイクロフォンの信号は前記第１シグナルプロセッサに接続され、前記第２マイクロフォン及び前記第３マイクロフォンの信号は前記第２シグナルプロセッサに接続され、そして前記第１シグナルプロセッサの第１出力信号と前記第２シグナルプロセッサの第１出力信号とは、前記第３シグナルプロセッサの各入力に接続されている。
【請求項２２】  請求項２１記載の装置であって、更に、第４シグナルプロセッサを有し、前記第１シグナルプロセッサ及び前記第２シグナルプロセッサの前記第２出力は、前記第４シグナルプロセッサの各入力に接続されている。
【請求項２３】  指向性マイクロフォンをエミュレートする信号処理装置であって、以下を含む、
複数のマイクロフォン、
前記マイクロフォンのアナログ信号からそれぞれのデジタル信号を作り出す複数のアナログ−デジタルコンバータ、そして
デジタルシグナルプロセッサ、これは、前記マイクロフォンの複数対のそれぞれから、第１出力信号（Ｆ（ｔ））と第２出力信号（Ｒ（ｔ））とを作り出すように構成され、前記第１出力信号（Ｆ（ｔ））は、対をなす前記マイクロフォンのうちの一方のマイクロフォンからの入力信号（ｆ（ｔ））と、重み係数によって重み付けされ及び第１遅延時間Ｔ１で遅延された前記第２出力信号（Ｒ（ｔ））との間の差に依存し、そして前記第２出力信号（Ｒ（ｔ））は、前記対をなすマイクロフォンのうちの他方のマイクロフォンからの入力信号（ｒ（ｔ））と、重み係数によって重み付けされ及び第２遅延時間Ｔ２で遅延された前記第１出力信号（Ｆ（ｔ））との間の差に依存する。
【請求項２４】  請求項２３記載の信号処理装置であって、前記デジタルシグナルプロセッサはｎ個のマイクロフォンからｎ＊（ｎ−１）個の出力信号を作りだすように構成されている。
【請求項２５】  請求項２３又は２４記載の信号処理装置であって、更に、前記デジタルシグナルプロセッサの出力信号をミキシングするためのシグナルミキサを有する。
【請求項２６】  請求項２３〜２５の何れか一項に記載の信号処理装置であって、更に、前記デジタルシグナルプロセッサの出力信号に応答して当該デジタルシグナルプロセッサを制御するシグナルアナライザモジュールを有する。
【請求項２７】  請求項２４記載の信号処理装置であって、前記シグナルアナライザモジュールは前記シグナルミキサを制御するべく作動可能である。
【手続補正２】
【補正対象書類名】明細書
【補正対象項目名】０００５
【補正方法】変更
【補正の内容】
【０００５】
いくつかの文献、例えば、ＥＰ  ６９０  ６５７Ａ，ＥＰ  ８６９  ６９７Ａ又はＵＳ３，１０９，０６６Ａは、マイクロフォンの信号が遅延され、これらの遅延された信号がマイクロフォンの元の信号とミキシングされるマイクロフォンシステムを開示している。これにより、例えば、カーディオイドパターンを得ることができる。しかしながら、そのようなフィード・フォワード解決法は、＋６ｄＢ／オクターブの傾きを有する音圧に対する周波数レスポンスを示す。一般に、この問題は、信号の選択的増幅によって部分的に解決可能であるが、そうすれば、雑音も増幅され信号／雑音比が悪化する。
【手続補正３】
【補正対象書類名】明細書
【補正対象項目名】０００７
【補正方法】変更
【補正の内容】
【０００７】
実験によって、高品質で、かつ、その働きに於いて入力信号の周波数から実質的に独立した指向性信号を得ることが可能であることが示された。選択される種々のパラメータに応じて、カーディオイド、ハイパーカーディオイド、又はその他の指向特性を得ることができる。